(57)【特許請求の範囲】
【請求項１】
底部と、上下方向に分割されているとともに、適当なヒンジ部材により連結された相対する分割側壁と、はね上げ可能に形成された相対するはね上げ側壁とを有する折り畳みコンテナーにおいて、前記はね上げ側壁に、連結具を介して、中仕切り板を取り付けるとともに、前記分割側壁には、中仕切り板載置部材を配設し、且つ、前記はね上げ側壁には、前記連結具が嵌着可能なスリットを、上下方向に、複数個形成したことを特徴とする折り畳みコンテナー。
【請求項２】
前記分割側壁に配設された中仕切り板載置部材を、前記中仕切り板載置位置が変更可能なように配設したことを特徴とする請求項１に記載の折り畳みコンテナー。
【請求項３】
前記はね上げ側壁に、前記中仕切り板に形成された支持突片が挿入可能な凹部を形成したことを特徴とする請求項１又は請求項２に記載の折り畳みコンテナー。
【請求項４】
前記底部に、下部中仕切り板を配設したことを特徴とする請求項１〜請求項３のいずれか１項に記載の折り畳みコンテナー。
【発明の詳細な説明】
【０００１】
【発明の属する技術分野】
本発明は、各種物品を、運搬、搬送或いは保管するために使用される折り畳み及び組み立て可能な、所謂、折り畳みコンテナーに関するものである。
【０００２】
【従来の技術】
従来、一方の相対する長側壁を、上下方向に分割するとともに、適当なヒンジ部材により連結し、もう一方の相対する短側壁を、はね上げ可能に形成した折り畳みコンテナーにおいて、組み立てられた状態の折り畳みコンテナー内に、中仕切り部材を配設したものが知られている。
【０００３】
【発明が解決しようとする課題】
上述した従来の折り畳みコンテナーにおいては、中仕切り部材を、折り畳みコンテナーの折り畳み作業の際に、折り畳みコンテナーから中仕切り部材を取り外さなければならなかったり、或いは、折り畳みコンテナーの折り畳み作業に連動して、中仕切り部材も同時に折り畳むことができないという問題があった。また、中仕切り部材を、組み立てられた折り畳みコンテナー内において、その上下方向の位置を調整することができないという問題があった。
【０００４】
本発明の目的は、上述した従来の折り畳みコンテナーが有する課題を解決するとともに、簡単な構造により、中仕切り部材を、折り畳みコンテナーに配設したまま、組み立て、折り畳みできる折り畳みコンテナーを提供することにある。
【０００５】
【課題を解決するための手段】
本発明は、上述した目的を達成するために、底部と、上下方向に分割されているとともに、適当なヒンジ部材により連結された相対する分割側壁と、はね上げ可能に形成された相対するはね上げ側壁とを有する折り畳みコンテナーにおいて、第１には、前記はね上げ側壁に、連結具を介して、中仕切り板を取り付けるとともに、前記分割側壁には、中仕切り板載置部材を配設し、且つ、前記はね上げ側壁には、前記連結具が嵌着可能なスリットを、上下方向に、複数個形成したものであり、第２には、前記分割側壁に配設された中仕切り板載置部材を、前記中仕切り板載置位置が変更可能なように配設したものであり、第３には、前記はね上げ側壁に、前記中仕切り板に形成された支持突片が挿入可能な凹部を形成したものであり、第４には、前記底部に、下部中仕切り板を配設したものである。
【０００６】
以下に、本発明の実施例について説明するが、本発明の趣旨を越えない限り何ら、本実施例に限定されるものではない。
【０００７】
【実施例】
先ず最初に、図１９〜図２１を用いて、公知の折り畳みコンテナー及び折り畳みコンテナーの折り畳み、組み立てについて説明する。
【０００８】
折り畳みコンテナーＣは、上部フレーム１、四側面に配設された側壁２及び底部３とからなる上部が開口した箱型に形成されており、側壁２は、上部フレーム１に配設された溝或いは孔に挿入された支軸を中心に回動可能な、相対して配置された側壁２ａ、２ｂ（以下、単に、「はね上げ側壁」という。）と、もう一方の相対して配置された上下に分割された側壁２ｃ，２ｄ（以下、単に、「分割側壁」という。）とから構成されている。上記の分割側壁２ｃ、２ｄは、それぞれ、上部側壁２ｃ’、２ｄ’と下部側壁２ｃ”、２ｄ”とを有し、上部側壁２ｃ’、２ｄ’と下部側壁２ｃ”、２ｄ”とは、それぞれ、適当数のヒンジ部材２ｅにより連結されている。また、分割側壁２ｃ、２ｄの上部側壁２ｃ’、２ｄ’は、上部フレーム１に配設された溝或いは孔に挿入された支軸を中心に回動可能に構成されており、そして、下部側壁２ｃ”、２ｄ”は、適当なヒンジ部材により、底部３に回動可能に枢着されている。
【０００９】
上述したようにして組み立てられた折り畳みコンテナーＣを、折り畳み状態から組み立てる順序について説明する。
【００１０】
図２１には、相対する一対のはね上げ側壁２ａ、２ｂが、折り畳みコンテナーＣの内部側に回動されて略水平状態に位置しており、また、分割側壁２ｃ、２ｄを形成する上部側壁２ｃ’、２ｄ’と下部側壁２ｃ”、２ｄ”が、それぞれ、ヒンジ部材２ｅを介して重ねられて、折り畳みコンテナーＣが、全体として、コンパクトに折り畳まれた状態が示されている。
【００１１】
この状態から、上部フレーム１を持ち上げると、ヒンジ部材２ｅにより連結された分割側壁２ｃ、２ｄの上部側壁２ｃ’、２ｄ’と下部側壁２ｃ”、２ｄ”とが拡開されて、図２０に示されているように、分割側壁２ｃ、２ｄが平らになる方向に回動する。
【００１２】
更に、上部フレーム１を持ち上げると、図２０に示されているように、相対する一対のはね上げ側壁２ａ、２ｂが下方に回動して、図１９に示されているような折り畳みコンテナーＣが組み立てられることになる。
【００１３】
次に、本発明の折り畳みコンテナーＣについて説明するが、上部フレーム１、はね上げ側壁２ａ、２ｂ、分割側壁２ｃ、２ｄを構成する上部側壁２ｃ’、２ｄ’と下部側壁２ｃ”、２ｄ”及び底部３等、上述した折り畳みコンテナーＣと同じ部材については、同じ符号を用いるとともに、その詳細な説明は省略する。そして、先ず最初に、主として、図１〜図６を用いて、本発明の折り畳みコンテナーＣに適用される中仕切り部材Ｐについて説明する。
【００１４】
中仕切り部材Ｐは、一対の平面形状が、略方形状の中仕切り板４を有しており、中仕切り板４の相対する一方の辺の長さは、分割側壁２ｃ、２ｄの幅の略半分の長さであり、また、相対するもう一方の辺の長さは、はね上げ側壁２ａ、２ｂの幅と略同じ長さに形成されている。そして、中仕切り板４には、折り畳みコンテナーＣに収容される物品に応じて、適当な形状の物品挿入孔４ａが、適当数、穿設されている。なお、中仕切り板４の裏面には、周縁に沿って下方に延在する周縁リブ４ｂが形成されている。
【００１５】
５は、中仕切り板４を、はね上げ側壁２ａ、２ｂに取り付けるための連結具であり、連結具５は、平面形状が、略長方形の板状部５ａにより形成されており、板状部５ａの中程には、短辺に沿って、ヒンジとして機能する２条の薄肉部５ｂが形成されている。２条の薄肉部５ｂを挟んで、一方の板状部５ａには、板状部５ａに対して垂直に、所定の間隔を置いて、２本の板状リブ５ｃ’が垂設されており、板状リブ５ｃ’の下端部には、互いに離反する方向に水平方向に延在する係止爪５ｃ”が形成されている。この下端部に係止爪５ｃ”が形成された２本の板状リブ５ｃ’により、係止部５ｃが構成されている。また、２条の薄肉部５ｂを挟んで、係止部５ｃとは反対側の板状部５ａの端部の上下面からは、板状部５ａに対して垂直な板状のストッパー５ｄが形成されている。更に、薄肉部５ｂと反対側に位置するストッパー５ｄの側面の中程両端部には、ストッパー５ｄに対して垂直に、一対の嵌合片５ｅが形成されており、嵌合片５ｅより下方に位置するストッパー５ｄの側面の中程には、先端に下方に延在する係止爪５ｆ’を有する係止部５ｆが形成されている。
【００１６】
中仕切り部材Ｐを構成する中仕切り板４のはね上げ側壁２ａ、２ｂと略同じ長さ側の一方の辺付近の両端部には、透孔４ｃが穿設されている。この透孔４ｃに、上述した連結具５の係止部５ｃの板状リブ５ｃ’が、中仕切り板４の表面側から嵌合され、板状リブ５ｃ’に形成された係止爪５ｃ”が、中仕切り板４の裏面に係止されて、連結具５が、中仕切り板４に取り付けられるように構成されている。連結具５が、中仕切り板４に取り付けられた際には、連結具５を構成する２条の薄肉部５ｂ、ストッパー５ｄ、嵌合片５ｅ及び係止部５ｆは、中仕切り板４から飛び出た位置にあるように構成されている。また、透孔４ｃが穿設されている側の中仕切り板４の周縁リブ４ｂの下端からは、中仕切り板４の表面と略平行に、所定の間隔を置いて、一対の支持突片４ｄが形成されている。本実施例においては、支持突片４ｄは、透孔４ｃ付近で、且つ、透孔４ｃより、中央寄りに形成されている。
【００１７】
はね上げ側壁２ａ、２ｂの両側端部付近には、上下方向に、適当数の横長のスリット６が穿設されている。なお、本実施例には、便宜上、３個のスリットが形成されている例が示されている。中仕切り板４に形成された透孔４ｃに、上述した係止部５ｃの板状リブ５ｃ’を嵌合することにより連結具５が取着されている中仕切り板４は、連結具５の嵌合片５ｅ及び係止部５ｆを、はね上げ側壁２ａ、２ｂに形成されたスリット６の何れかに、はね上げ側壁２ａ、２ｂの内壁面に、ストッパー５ｄが当接するまで嵌合し、はね上げ側壁２ａ、２ｂの外壁面に、係止部５ｆの係止爪５ｆ’を係止させることにより、はね上げ側壁２ａ、２ｂに取り付けられるように構成されている。なお、はね上げ側壁２ａ、２ｂの外壁面に係止されている係止部５ｆの係止爪５ｆ’を持ち上げて、はね上げ側壁２ａ、２ｂの外壁面から外すことにより、中仕切り板４を、高さの異なる別のスリット６に取り付けることができる。
【００１８】
７は、はね上げ側壁２ａ、２ｂを外側に膨出することにより形成された、スリット６に隣接する凹部であり、本実施例においては、３個、形成されたスリット６に対応して、３個の凹部７が、はね上げ側壁２ａ、２ｂの上下方向に形成されている。上述したようにして、はね上げ側壁２ａ、２ｂに形成されたスリット６の何れかに、中仕切り板４が取り付けられた際には、中仕切り板４が取り付けられたスリット６に対応する位置にある凹部７に、中仕切り板４に形成された支持突片４ｄが、挿入されるように構成されている。
【００１９】
８は、中仕切り板載置部材であり、図１０に示されているように、中仕切り板載置部材８は、直方体状の主部８ａと、主部８ａの中心から、何方か一方にずれた位置の上下面に突設された、同じ高さを有する台部８ｂとを有している。また、何れか一方の側面には、該側面に垂直な２本のセグメント状リブ８ｃ’が垂設されており、セグメント状リブ８ｃ’の先端部には、互いに離反する方向に延在する係止爪８ｃ”が形成されている。この先端部に係止爪８ｃ”が形成された２本のセグメント状リブ８ｃ’により、係止部８ｃが構成されている。この中仕切り板保持部材８は、分割側壁２ｃ、２ｄを形成する上部側壁２ｃ’、２ｄ’或いは下部側壁２ｃ”、２ｄ”の幅方向の略中央部に穿設された透孔９に、係止部８ｃのセグメント状リブ８ｃ’を、上部側壁２ｃ’、２ｄ’或いは下部側壁２ｃ”、２ｄ”の内壁面側から嵌合し、セグメント状リブ８ｃ’に形成された係止爪８ｃ”を、上部側壁２ｃ’、２ｄ’或いは下部側壁２ｃ”、２ｄ”の外壁面に係止することにより、上部側壁２ｃ’、２ｄ’或いは下部側壁２ｃ”、２ｄ”に取り付けられるように構成されている。なお、本実施例には、中仕切り板載置部材８が、下部側壁２ｃ”、２ｄ”に取り付けられている例が示されている。
【００２０】
上述したようにして、上部側壁２ｃ’、２ｄ’或いは下部側壁２ｃ”、２ｄ”に取り付けられた中仕切り板載置部材８は、透孔９に嵌合された係止部８ｃを中心に回転できるように構成されている。そして、折り畳みコンテナーＣを組み立て、中仕切り板載置部材８を、透孔９に嵌合された係止部８ｃを中心に、適宜、回転させることにより、図７及び図１１に示されているように、直方体状の主部８ａが水平で、何れかの台部８ｂが上方に位置する、中仕切り板載置部材８の最下位位置と、図８に示されているように、直方体状の主部８ａが垂直で、台部８ｂからの位置が短い方が上方に位置する、中仕切り板載置部材８の中間位置と、図９に示されているように、直方体状の主部８ａが垂直で、台部８ｂからの位置が長い方が上方に位置する、中仕切り板載置部材８の最上位位置との３つの位置を取ることができるように構成されている。
【００２１】
上述したようにして、はね上げ側壁２ａ、２ｂに形成されたスリット６の何れかに、中仕切り板４に取着された連結具５の嵌合片５ｅ及び係止部５ｆを嵌合するとともに、はね上げ側壁２ａ、２ｂの外壁面に、係止部５ｆの係止爪５ｆ’を係止させることにより、中仕切り板４は、はね上げ側壁２ａ、２ｂに取り付けられる。また、折り畳みコンテナーＣが組み立てられた状態においては、はね上げ側壁２ａ、２ｂに対して遠い側に位置する中仕切り板４の先端部は、分割側壁２ｃ、２ｄを形成する上部側壁２ｃ’、２ｄ’或いは下部側壁２ｃ”、２ｄ”に回転自在に配設された中仕切り板載置部材８に載置されるように構成されている。そして、連結具５の嵌合片５ｅ及び係止部５ｆが、どのスリット６に嵌合されているかによって、中仕切り板載置部材８を、適宜、透孔９に嵌合された係止部８ｃを中心に回転するように構成されている。即ち、連結具５の嵌合片５ｅ及び係止部５ｆが、一番下に位置するスリット６に嵌合されている場合には、図７及び図１１に示されているように、何れかの台部８ｂが上方に位置する、中仕切り板載置部材８の最下位位置になるように中仕切り板載置部材８を回転させて、台部８ｂに、中仕切り板４の先端部を載置することにより、中仕切り板４を略水平に保持することができるように構成されており、また、連結具５の嵌合片５ｅ及び係止部５ｆが、中間に位置するスリット６に嵌合されている場合には、図８に示されているように、直方体状の主部８ａが垂直で、台部８ｂからの位置が短い方が上方に位置する、中仕切り板載置部材８の中間位置になるように中仕切り板載置部材８を回転させて、直方体状の主部８ａの上面に、中仕切り板４の先端部を載置することにより、中仕切り板４を略水平に保持することができるように構成されており、更に、連結具５の嵌合片５ｅ及び係止部５ｆが、一番上に位置するスリット６に嵌合されている場合には、図９に示されているように、直方体状の主部８ａが垂直で、台部８ｂからの位置が長い方が上方に位置する、中仕切り板載置部材８の最上位位置になるように中仕切り板載置部材８を回転させて、直方体状の主部８ａの上面に、中仕切り板４の先端部を載置することにより、中仕切り板４を略水平に保持することができるように構成されている。なお、台部８ｂを設けることなく、直方体状の主部８ａの上下面の何れかの面に、中仕切り板４の先端部を載置するように構成することもできる。
【００２２】
上述したようにして、組み立てられた状態の折り畳みコンテナーＣに、中仕切り板４を略水平に保持した状態においては、例えば、図１３に示されているように、はね上げ側壁２ａ、２ｂに形成されたスリット６の何れかに、中仕切り板４に取着された連結具５の嵌合片５ｅ及び係止部５ｆが嵌合されているとともに、連結具５の嵌合片５ｅ及び係止部５ｆが嵌合されたスリット６に対応する位置にある、はね上げ側壁２ａ、２ｂに形成された凹部７の何れかに、中仕切り板４に形成された支持突片４ｄが挿入されるように構成されている。このように、中仕切り板４に形成された支持突片４ｄを、はね上げ側壁２ａ、２ｂに形成された凹部７に挿入するとともに、凹部７を形成する底面７ａ上で、支持突片４ｄを載置することにより、連結具５への中仕切り板４の重量等の負担が軽減され、連結具５の強度的に弱い部分である薄肉部５ｂが損傷するようなことが防止できる。
【００２３】
図１４〜図１６に示されているように、分割側壁２ｃ、２ｄ側に位置する底部３の相対する長辺には、土手部３ａが形成されており、底部３の土手部３ａの上部に、分割側壁２ｃ、２ｄを構成する下部側壁２ｃ”、２ｄ”が、適当なヒンジ部材により回動可能に枢着されている。また、はね上げ側壁２ａ、２ｂ側に位置する底部３の相対する短辺には、上記の分割側壁２ｃ、２ｄ側に位置する底部３の相対する長辺に形成された土手部３ａより低い土手部３ｂが形成されており、土手部３ｂの外側に位置する上面からは、板状のストッパー３ｃが延在している。上述したように、相対する一対のはね上げ側壁２ａ、２ｂを、略水平状態から下方に回動して、図１に示されているような折り畳みコンテナーＣが組み立てる際に、はね上げ側壁２ａ、２ｂの下端部が、ストッパー３ｃに当接し、それ以上、外側に回動しないように構成されている。更に、はね上げ側壁２ａ、２ｂ側に位置する底部３の土手部３ｂの両端部付近には、凹部１０が形成されている。
【００２４】
１１は、底部３内に配設される下部中仕切り板であり、下部中仕切り板１１には、中仕切り部材Ｐの中仕切り板４に穿設された物品挿入孔４ａと同じ物品挿入孔１１ａが、物品挿入孔４ａと同じ配置で形成されている。下部中仕切り板１１の相対する一方の辺の長さは、分割側壁２ｃ、２ｄの幅と略同じ長さであり、また、相対するもう一方の辺の長さは、はね上げ側壁２ａ、２ｂの幅と略同じ長さに形成されており、土手部３ａ、３ｂにより囲まれた底部３内に配置できるような大きさに形成されている。また、下部中仕切り板１１の両短辺側の側端面の両端部付近には、水平方向に延在する係合突片１１ｂが形成されている。
【００２５】
上述したような構成を有する下部中仕切り板１１は、下部中仕切り板１１に形成された係合突片１１ｂを、はね上げ側壁２ａ、２ｂ側に位置する底部３の土手部３ｂの両端部付近に形成された凹部１０に挿入することにより、底部３に配置されるように構成されている。このように、上述した中仕切り部材Ｐとともに、下部中仕切り板１１を配設し、組み立てられた状態の折り畳みコンテナーＣに収容される物品を、中仕切り部材Ｐの中仕切り板４に形成された物品挿入孔４ａと、下部中仕切り板１１に形成された物品挿入孔１１ａとの両方に挿入することにより、安定した状態で物品を収容することができる。特に、縦方向に長い物品を収容する際には、物品を、中仕切り部材Ｐと下部中仕切り板１１とにより支持することができるので、安定した状態で物品を収容することができる。勿論、下部中仕切り板１１を省略し、中仕切り部材Ｐのみを配設することもできる。
【００２６】
折り畳みコンテナーＣは、折り畳まれた状態においては、図３に示されているように、底部３の上に、ヒンジ部材２ｅを介して折り畳まれた分割側壁２ｃ、２ｄを形成する上部側壁２ｃ’、２ｄ’と下部側壁２ｃ”、２ｄ”とが重ねられており、その上に、一対のはね上げ側壁２ａ、２ｂが重ねられて、全体として、コンパクトに折り畳まれている。また、連結具５を介して、一対のはね上げ側壁２ａ、２ｂに、それぞれ、取り付けられている中仕切り部材Ｐを構成する中仕切り板４は、互いに重なるようにして、はね上げ側壁２ａ、２ｂの上に配置されている。なお、上述したように、底部３内に下部中仕切り板１１が収納されている場合には、上記の折り畳みコンテナーＣが折り畳まれた状態では、下部中仕切り板１１の上に、分割側壁２ｃ、２ｄを形成する上部側壁２ｃ’、２ｄ’と下部側壁２ｃ”、２ｄ”とが重ねられ、折り畳みコンテナーＣの折り畳み作業に、何ら、影響を与えることがないように構成されている。
【００２７】
このような状態で折り畳まれている折り畳みコンテナーＣを組み立てるには、従来の折り畳みコンテナーＣと同様に、上部フレーム１を持ち上げると、図２に示されているように、ヒンジ部材２ｅにより連結された分割側壁２ｃ、２ｄの上部側壁２ｃ’、２ｄ’と下部側壁２ｃ”、２ｄ”とが拡開されて、分割側壁２ｃ、２ｄが平らになる方向に回動する。更に、上部フレーム１を持ち上げると、っ図１に示されているように、相対する一対のはね上げ側壁２ａ、２ｂが下方に回動して折り畳みコンテナーＣが組み立てられることになる。このような、はね上げ側壁２ａ、２ｂの下方への回動、即ち、垂直方向への回動に伴って、連結具５を介して、はね上げ側壁２ａ、２ｂに、それぞれ、取り付けられている中仕切り板４は、上述したように、互いに重なり合った状態から、互いに離反する方向にスライドしながら、はね上げ側壁２ａ、２ｂの垂直方向への回動に追従する。そして、はね上げ側壁２ａ、２ｂが、略垂直状態になり、折り畳みコンテナーＣが組み立てられる直前に、一対の中仕切り板４は、連結具５が取着されている側と反対側に位置する端辺４ｅ付近が、上述した最下位位置か、中間位置か、最上位位置かの何れかの位置にある中仕切り板載置部材８に載置されるとともに、中仕切り板４に形成された支持突片４ｄが、はね上げ側壁２ａ、２ｂに形成されている凹部７に挿入されて、一対の中仕切り板４からなる中仕切り部材Ｐが、組み立てられた折り畳みコンテナーＣ内に配設されることになる。
【００２８】
上述したように、はね上げ側壁２ａ、２ｂが、垂直方向に回動し、折り畳みコンテナーＣを組み立てられる直前には、一対の中仕切り板４の端辺４ｅ付近が、中仕切り板載置部材８に載置されるとともに、中仕切り板４に形成された支持突片４ｄが、はね上げ側壁２ａ、２ｂに形成されている凹部７に挿入されて中仕切り部材Ｐが、組み立てられた折り畳みコンテナーＣ内に配設されることになるが、はね上げ側壁２ａ、２ｂと中仕切り板４とを連結する連結具４には、ヒンジとして機能する２条の薄肉部５ｂが形成されているので、図１３に示されているように、２条の薄肉部５ｂの間に位置する部分５ｇが、水平状態から略垂直になるように移動して中仕切り板４が下動し、中仕切り板４に形成された支持突片４ｄが、はね上げ側壁２ａ、２ｂに形成されている横長のスリット６より下方に位置する凹部７に挿入されように構成されている。
【００２９】
上述したように構成することにより、中仕切り板４に形成された支持突片４ｄが、はね上げ側壁２ａ、２ｂに形成されている横長のスリット６より下方に位置する凹部７に挿入され、凹部７を形成する底面７ａに載置されるので、連結具５への中仕切り板４の重量等の負担が軽減され、連結具５の強度的に弱い部分である薄肉部５ｂが損傷するようなことがない。
【００３０】
また、組み立てられた折り畳みコンテナーＣを、折り畳む場合には、略垂直状態の相対する一対のはね上げ側壁２ａ、２ｂを上方に回動させるが、はね上げ側壁２ａ、２ｂが略水平状態になる過程で、上述したように、はね上げ側壁２ａ、２ｂに連結具５を介して接続されている中仕切り板４は、互いに接近する方向に移動し、徐々に、重なり合うことになるが、この過程で、はね上げ側壁２ａ、２ｂに形成されている凹部７に挿入さている中仕切り板４に形成された支持突片４ｄが、凹部７から抜け出ることになる。この支持突片４ｄの凹部７から排出を容易にするために、図１７に示されているように、支持突片４ｄの先端部には、先端部から根元部に向かって、上方に傾斜した傾斜部４ｄ’を形成することが好ましい。また、このような傾斜面４ｄ’を形成することにより、折り畳みコンテナーＣの組立の際に、支持突片４ｄが、凹部７に挿入し易くなる。支持突片４ｄに上記のような傾斜面４ｄ’を形成する代わりに、或いは、このような傾斜面４ｄ’を形成するとともに、図１８に示されているように、凹部７を形成する天部に、凹部７の入口から奥部に向かって、下方に傾斜した傾斜面７ｂを形成することもできる。
【００３１】
なお、上述した実施例においては、はね上げ側壁２ａ、２ｂと中仕切り板４とを連結する連結具４には、ヒンジとして機能する２条の薄肉部５ｂが形成されていが、２条の薄肉部５ｂを含めて、薄肉部５ｂ全体を薄肉に形成することもできる。
【００３２】
また、２条の薄肉部５ｂに代えて、１条の薄肉部５ｂを形成することもできる。この場合には、中仕切り板４に形成された支持突片４ｄは省略され、折り畳みコンテナーＣが組み立てられた際には、支持突片４ｄが、はね上げ側壁２ａ、２ｂに形成されている凹部７に挿入されることはなく、中仕切り板４は、連結具５により支持されることになる。
【００３３】
更に、上述した実施例には、中仕切り部材Ｐを構成する一対の中仕切り板４の高さが変更可能なように、はね上げ側壁２ａ、２ｂに複数のスリット６や凹部７を形成するとともに、分割側壁２ｃ、２ｄに、中仕切り板載置部材８を回転可能に配設して、最下位位置と中間位置と最上位位置とに選択可能とした例が示されているが、はね上げ側壁２ａ、２ｂに１個のスリットや凹部を形成するとともに、分割側壁２ｃ、２ｄには、中仕切り板載置部材を非回転に取り付けることにより、中仕切り部材Ｐを構成する一対の中仕切り板４の高さが変更できないように構成することもできる。
【００３４】
更にまた、底部３の深さ、即ち、底部３の上面から土手部３ａ、３ｂの上面までの高さを、深く構成することが好ましい。このように構成することにより、折り畳みコンテナーＣに収納される物品に、油等の液体が付着している場合には、物品から垂れる液体を受ける受け皿を、折り畳みコンテナーＣの折り畳み作業の邪魔にならないように、底部３に収容することができる。また、底部３の深さを深く構成することにより、上述したように、中仕切り板載置部材８を最下位位置にして、中仕切り板４を一番低い位置に配置しても、中仕切り板４の位置が、依然として、高過ぎるような物品を収納したい場合にも、折り畳みコンテナーＣの折り畳み作業の邪魔にならないように、底部３に、物品の高さを調整することが可能な高さ調整部材を配設することができる。
【００３５】
【発明の効果】
本発明は、以上説明したように構成されているので、以下に記載の効果を奏することができる。
【００３６】
はね上げ側壁に連結具を介して、それぞれ、中仕切り板を取り付けるとともに、分割側壁には、中仕切り板載置部材を配設した簡単な構造により、折り畳みコンテナーの組み立て、折り畳みに連動して、中仕切り板を組み立て、折り畳むことができる。
【００３７】
はね上げ側壁に、連結具が嵌着可能なスリットを、上下方向に、複数個形成するとともに、分割側壁に配設された中仕切り板載置部材を、中仕切り板載置位置が変更可能なように構成したので、収容される物品に応じて、簡単に、中仕切り板の高さを変更することができる。
【００３８】
はね上げ側壁に、中仕切り板に形成された支持突片が挿入可能な凹部を形成したので、連結具への中仕切り板の重量等の負担が軽減され、連結具が損傷するようなことがない。
【００３９】
中仕切り部材とともに、底部に下部中仕切り板を配設し、組み立てられた状態の折り畳みコンテナーに収容される物品を、中仕切り部材の中仕切り板と下部中仕切り板との両方で支持するようにしたので、安定した状態で物品を収容することができる。
【図面の簡単な説明】
【図１】図１は本発明の折り畳みコンテナーが組み立てられた状態の斜視図である。
【図２】図２は本発明の折り畳みコンテナーの組み立て途中の斜視図である。
【図３】図３は本発明の折り畳みコンテナーが折り畳まれた状態の斜視図である。
【図４】図４は本発明の折り畳みコンテナーを構成する連結具の斜視図である。
【図５】図５は本発明の折り畳みコンテナーを構成する中仕切り板及び連結具の部分斜視図である。
【図６】図６は本発明の折り畳みコンテナーを構成する中仕切り板及び連結具等のはね上げ側壁に垂直な部分側断面図である。
【図７】図７は本発明の折り畳みコンテナーの部分斜視図である。
【図８】図８は図７と同様の本発明の折り畳みコンテナーの部分斜視図である。
【図９】図９は図７と同様の本発明の折り畳みコンテナーの部分斜視図である。
【図１０】図１０は本発明の折り畳みコンテナーを構成する中仕切り板載置部材の斜視図である。
【図１１】図１１は本発明の折り畳みコンテナーのはね上げ側壁に垂直な部分側断面図である。
【図１２】図１２は本発明の折り畳みコンテナーを構成する中仕切り板及び連結具等のはね上げ側壁に垂直な部分側断面図である。
【図１３】図１３は同じく本発明の折り畳みコンテナーを構成する中仕切り板及び連結具等のはね上げ側壁に垂直な部分側断面図である。
【図１４】図１４は本発明の折り畳みコンテナーのはね上げ側壁等の一部部材が省略された部分斜視図である。
【図１５】図１５は本発明の折り畳みコンテナーのはね上げ側壁に垂直な部分側断面図である。
【図１６】図１６は本発明の折り畳みコンテナーの部分斜視図である。
【図１７】図１７は本発明の別の実施例の折り畳みコンテナーを構成する中仕切り板及び連結具等のはね上げ側壁に垂直な部分側断面図である。
【図１８】図１８は本発明の更に別の実施例の折り畳みコンテナーを構成する中仕切り板及び連結具等のはね上げ側壁に垂直な部分側断面図である。
【図１９】図１９は従来の折り畳みコンテナーが組み立てられた状態の斜視図である。
【図２０】図２０は従来の折り畳みコンテナーの組み立て途中の斜視図である。
【図２１】図２１は従来の折り畳みコンテナーが折り畳まれた状態の斜視図である。
【符号の説明】
Ｃ・・・・・・・・折り畳みコンテナー
Ｐ・・・・・・・・中仕切り部材
１・・・・・・・・上部フレーム
２ａ、２ｂ・・・・はね上げ側壁
２ｃ、２ｄ・・・・分割側壁
３・・・・・・・・底部
４・・・・・・・・中仕切り板
５・・・・・・・・連結具
６・・・・・・・・スリット
７・・・・・・・・凹部
８・・・・・・・・中仕切り板載置部材
１１・・・・・・・下部中仕切り板
【図１】
0003730834.tif 000002
【図２】
0003730834.tif 000003
【図３】
0003730834.tif 000004
【図４】
0003730834.tif 000005
【図５】
0003730834.tif 000006
【図６】
0003730834.tif 000007
【図７】
0003730834.tif 000008
【図８】
0003730834.tif 000009
【図９】
0003730834.tif 000010
【図１０】
0003730834.tif 000011
【図１１】
0003730834.tif 000012
【図１２】
0003730834.tif 000013
【図１３】
0003730834.tif 000014
【図１４】
0003730834.tif 000015
【図１５】
0003730834.tif 000016
【図１６】
0003730834.tif 000017
【図１７】
0003730834.tif 000018
【図１８】
0003730834.tif 000019
【図１９】
0003730834.tif 000020
【図２０】
0003730834.tif 000021
【図２１】
0003730834.tif 000022